(57)【要約】【課題】  本発明の目的は、複数の半導体チップそれぞれをインターポーザによって支持した場合の、上下のインターポーザの接合強度を向上させることにある。【解決手段】  半導体装置は、第１のパッケージ１０と、第２のパッケージ３０と、第１及び第２の配線パターン１４，３４を電気的に接続するコンタクト部４８と、樹脂５０と、を有する。第２のパッケージ３０は、第２のインターポーザ３２が第１の半導体チップ１６及び第１のインターポーザ１２の上方にオーバーラップするように配置されている。コンタクト部４８は、第１及び第２のインターポーザ１２，３２の間に設けられている。樹脂５０は、第１のインターポーザ１２及び第１の半導体チップ１６と、第２のインターポーザ３２と、の間に設けられている。【選択図】      図２
2005340451.tif 000002
【特許請求の範囲】
【請求項１】
第１の配線パターンが形成された第１のインターポーザと、前記第１のインターポーザに搭載されるとともに前記第１の配線パターンと電気的に接続された第１の半導体チップと、を含む第１のパッケージと、
第２の配線パターンが形成された第２のインターポーザと、前記第２のインターポーザに搭載されるとともに前記第２の配線パターンと電気的に接続された第２の半導体チップと、を含む第２のパッケージと、
前記第１及び第２の配線パターンを電気的に接続するコンタクト部と、
樹脂と、
を有し、
前記第２のパッケージは、前記第２のインターポーザが前記第１の半導体チップ及び前記第１のインターポーザの上方にオーバーラップするように配置され、
前記コンタクト部は、前記第１及び第２のインターポーザの間に設けられ、
前記樹脂は、前記第１のインターポーザ及び前記第１の半導体チップと、前記第２のインターポーザと、の間に設けられてなる半導体装置。
【請求項２】
請求項１記載の半導体装置において、
前記樹脂は、前記第１及び第２のパッケージの間に隙間なく充填されてなる半導体装置。
【請求項３】
請求項１又は請求項２記載の半導体装置において、
前記樹脂は、前記第２のパッケージの端面を被覆してなる半導体装置。
【請求項４】
請求項１から請求項３のいずれかに記載の半導体装置において、
前記樹脂は、前記第２のパッケージの端面にフィレットを形成してなる半導体装置。
【請求項５】
請求項１から請求項４のいずれかに記載の半導体装置において、
前記第２の半導体チップを封止するように前記第２のインターポーザに設けられた封止部をさらに有する半導体装置。
【請求項６】
請求項５記載の半導体装置において、
前記樹脂は、前記封止部の端面を被覆してなる半導体装置。
【請求項７】
請求項１又は請求項２記載の半導体装置において、
前記樹脂は、前記第２のパッケージの端面の全部を露出してなる半導体装置。
【請求項８】
請求項１から請求項７のいずれかに記載の半導体装置が実装された回路基板。
【請求項９】
請求項１から請求項７のいずれかに記載の半導体装置を有する電子機器。
【請求項１０】
（ａ）第１の配線パターンが形成された第１のインターポーザに、前記第１の配線パターンと電気的に接続するように第１の半導体チップを搭載することによって、第１のパッケージを形成すること、
（ｂ）第２の配線パターンが形成された第２のインターポーザに、前記第２の配線パターンと電気的に接続するように第２の半導体チップを搭載することによって、第２のパッケージを形成すること、
（ｃ）前記第２のパッケージを、前記第２のインターポーザが前記第１の半導体チップ及び前記第１のインターポーザの上方にオーバーラップするように配置すること、
（ｄ）コンタクト部によって、前記第１及び第２のインターポーザの間で、前記第１及び第２の配線パターンを電気的に接続すること、
（ｅ）樹脂を、前記第１のインターポーザ及び前記第１の半導体チップと、前記第２のインターポーザと、の間に注入すること、
を含む半導体装置の製造方法。
【請求項１１】
請求項１０記載の半導体装置の製造方法において、
前記（ｂ）工程で、複数の前記第２のインターポーザに、複数の前記第２の配線パターンと電気的に接続するように複数の前記第２の半導体チップを搭載することによって、複数の前記第２のパッケージを形成し、
前記（ｃ）工程で、前記複数の前記第２のパッケージを、隣同士に隙間をあけて相互にオーバーラップしないように配置し、
前記（ｅ）工程で、前記樹脂を、前記複数の前記第２のパッケージの隣同士の前記隙間から注入する半導体装置の製造方法。
【請求項１２】
請求項１１記載の半導体装置の製造方法において、
前記（ｅ）工程後に、前記第１のインターポーザを、それぞれの前記第２のパッケージごとに切断することをさらに含む半導体装置の製造方法。
【発明の詳細な説明】
【技術分野】
【０００１】
本発明は、半導体装置及びその製造方法、回路基板並びに電子機器に関する。
【背景技術】
【０００２】
スタックドタイプの半導体装置が開発されている。スタックドタイプの半導体装置は、半導体チップを三次元的に実装するので、平面的に小型化が可能である。また、既存の半導体チップの組み合わせで対応することができるので、新たな集積回路の設計が不要になる。しかしながら、それぞれの半導体チップをインターポーザによって支持した場合、上下のインターポーザの接合強度が信頼性に影響を与えていた。
【０００３】
本発明の目的は、複数の半導体チップそれぞれをインターポーザによって支持した場合の、上下のインターポーザの接合強度を向上させることにある。
【特許文献１】特開平６−１３５４１号公報
【発明の開示】
【課題を解決するための手段】
【０００４】
（１）本発明に係る半導体装置は、
第１の配線パターンが形成された第１のインターポーザと、前記第１のインターポーザに搭載されるとともに前記第１の配線パターンと電気的に接続された第１の半導体チップと、を含む第１のパッケージと、
第２の配線パターンが形成された第２のインターポーザと、前記第２のインターポーザに搭載されるとともに前記第２の配線パターンと電気的に接続された第２の半導体チップと、を含む第２のパッケージと、
前記第１及び第２の配線パターンを電気的に接続するコンタクト部と、
樹脂と、
を有し、
前記第２のパッケージは、前記第２のインターポーザが前記第１の半導体チップ及び前記第１のインターポーザの上方にオーバーラップするように配置され、
前記コンタクト部は、前記第１及び第２のインターポーザの間に設けられ、
前記樹脂は、前記第１のインターポーザ及び前記第１の半導体チップと、前記第２のインターポーザと、の間に設けられてなる。本発明によれば、第２のインターポーザは、第１のインターポーザ及び第１の半導体チップの上方に位置し、これらの間に樹脂が設けてあるので、上下のインターポーザの接合強度が向上している。
（２）この半導体装置において、
前記樹脂は、前記第１及び第２のパッケージの間に隙間なく充填されていてもよい。これによって、上下のインターポーザの接合強度がさらに向上する。
（３）この半導体装置において、
前記樹脂は、前記第２のパッケージの端面を被覆していてもよい。
（４）この半導体装置において、
前記樹脂は、前記第２のパッケージの端面にフィレットを形成していてもよい。
（５）この半導体装置において、
前記第２の半導体チップを封止するように前記第２のインターポーザに設けられた封止部をさらに有していてもよい。
（６）この半導体装置において、
前記樹脂は、前記封止部の端面を被覆していてもよい。
（７）この半導体装置において、
前記樹脂は、前記第２のパッケージの端面の全部を露出していてもよい。
（８）本発明に係る回路基板には、上記半導体装置が実装されている。
（９）本発明に係る電子機器は、上記半導体装置を有する。
（１０）本発明に係る半導体装置の製造方法は、
（ａ）第１の配線パターンが形成された第１のインターポーザに、前記第１の配線パターンと電気的に接続するように第１の半導体チップを搭載することによって、第１のパッケージを形成すること、
（ｂ）第２の配線パターンが形成された第２のインターポーザに、前記第２の配線パターンと電気的に接続するように第２の半導体チップを搭載することによって、第２のパッケージを形成すること、
（ｃ）前記第２のパッケージを、前記第２のインターポーザが前記第１の半導体チップ及び前記第１のインターポーザの上方にオーバーラップするように配置すること、
（ｄ）コンタクト部によって、前記第１及び第２のインターポーザの間で、前記第１及び第２の配線パターンを電気的に接続すること、
（ｅ）樹脂を、前記第１のインターポーザ及び前記第１の半導体チップと、前記第２のインターポーザと、の間に注入すること、
を含む。本発明によれば、第２のインターポーザを、第１のインターポーザ及び第１の半導体チップの上方に配置し、これらの間に樹脂を設けるので、上下のインターポーザの接合強度を向上させることができる。
（１１）この半導体装置の製造方法において、
前記（ｂ）工程で、複数の前記第２のインターポーザに、複数の前記第２の配線パターンと電気的に接続するように複数の前記第２の半導体チップを搭載することによって、複数の前記第２のパッケージを形成し、
前記（ｃ）工程で、前記複数の前記第２のパッケージを、隣同士に隙間をあけて相互にオーバーラップしないように配置し、
前記（ｅ）工程で、前記樹脂を、前記複数の前記第２のパッケージの隣同士の前記隙間から注入してもよい。これによれば、樹脂を複数の第２のパッケージの隣同士の隙間から注入するので、樹脂は、その隙間から複数の第２のパッケージの方向に進行する。すなわち、樹脂が複数の方向に進行するので、注入作業を短時間で完了させることができる。
（１２）この半導体装置の製造方法において、
前記（ｅ）工程後に、前記第１のインターポーザを、それぞれの前記第２のパッケージごとに切断することをさらに含んでもよい。
【発明を実施するための最良の形態】
【０００５】
以下、本発明の実施の形態について図面を参照して説明する。
【０００６】
図１は、本発明の実施の形態に係る半導体装置を説明する平面図である。図２は、図１に示す半導体装置のII−II線断面図である。
【０００７】
半導体装置は、第１のパッケージ１０を有する。第１のパッケージ１０は、第１のインターポーザ１２を有する。第１のインターポーザ１２は、基板であって、プレートであってもよい。第１のインターポーザ１２は矩形をなしていてもよい。第１のインターポーザ１２は、ポリイミド樹脂などの樹脂で形成されていてもよいし、樹脂などの有機材料及び無機材料の混合材料で形成されてもよいし、金属基板やセラミック基板であってもよい。第１のインターポーザ１２には、第１の配線パターン１４が形成されている。第１の配線パターン１４は、複数点を電気的に接続する配線と、他の部品との電気的な接続部となるランドを有していてもよい。第１の配線パターン１４は、第１のインターポーザ１２の少なくとも一方の面に形成されている。第１の配線パターン１４は、図示しないスルーホールを通して電気的に接続されるように、第１のインターポーザ１２の両面に形成してもよい。第１のインターポーザ１２は、多層基板やビルドアップ型基板であってもよい。
【０００８】
第１のパッケージ１０は、第１の半導体チップ１６を有する。第１の半導体チップ１６には、集積回路１８が形成されている。第１の半導体チップ１６は、第１のインターポーザ１２に搭載されている。第１の半導体チップ１６は、接着剤２０を介して、第１のインターポーザ１２に接着されている。接着剤２０は、樹脂であってもよい。接着剤２０は、エネルギー硬化性（熱硬化性又は紫外線硬化性など）であってもよい。接着剤２０は、電気的に絶縁性であってもよい。
【０００９】
第１の半導体チップ１６は、第１の配線パターン１４に電気的に接続されている。図２に示すように、第１の半導体チップ１６は、第１のインターポーザ１２にフェースダウンボンディングされていてもよい。その場合、第１の半導体チップ１６の電極となるバンプ２２と第１の配線パターン１４とを対向させて、両者を電気的に接続してもよい。接着剤２０が異方性導電材料（異方性導電膜又は異方性導電ペースト等）であれば、導電粒子によって電気的な接続を図ることができる。接着剤２０が絶縁性接着剤であれば、その収縮力を利用してバンプ２２と第１の配線パターン１４とを圧接させてもよい。あるいは、バンプ２２と第１の配線パターン１４とは金属接合されていてもよい。変形例として、第１の半導体チップ１６を第１のインターポーザ１２にフェースアップボンディングして、電気的接続にワイヤを使用してもよい。
【００１０】
半導体装置は、複数の第２のパッケージ３０を有する。それぞれの第２のパッケージ３０は、第２のインターポーザ３２を有する。第２のインターポーザ３２には、第１のインターポーザ１２についての説明が該当する。さらに、第２のインターポーザ３２は、第１のインターポーザ１２と同じ材料で形成してもよいし、同じ厚みで形成してもよいし、同じ熱膨張率を有していてもよい。あるいは、第２のインターポーザ３２は、第１のインターポーザ１２と異なる材料で形成してもよいし、異なる厚みで形成してもよい。また、第１及び第２のインターポーザ１２，３２は、いずれか一方が他方よりも熱膨張率が大きくてもよい。なお、熱膨張率は、加熱時の膨張率であるとともに、冷却時の収縮率でもある。第２のインターポーザ３２には、第２の配線パターン３４が形成されている。第２の配線パターン３４には、第１の配線パターン１４についての説明が該当する。
【００１１】
第２のパッケージ３０は、第２の半導体チップ３６を有する。第２の半導体チップ３６には、集積回路３８が形成されている。第２の半導体チップ３６は、第２のインターポーザ３２に搭載され、第２の配線パターン３４に電気的に接続されている。第２の半導体チップ３６は、図示しない接着剤によって第２のインターポーザ３２に接着されていてもよい。図２に示すように、第２の半導体チップ３６を第２のインターポーザ３２にフェースアップボンディングしてもよい。その場合、第２の半導体チップ３６のパッド４０及び第２の配線パターン３４にワイヤ４２をボンディングしてもよい。変形例として、第２の半導体チップ３６を、第２のインターポーザ３２にフェースダウンボンディングしてもよい。その電気的接続には、第１の半導体チップ１６についての内容を適用することができる。
【００１２】
第２のパッケージ３０は、封止部４４を有してもよい。封止部４４は、第２の半導体チップ３６を封止しており、電気的接続部（例えばワイヤ４２）を封止していてもよい。封止部４４は、第２のインターポーザ３２に設けられている。封止部４４は、後述する複数のコンタクト部とオーバーラップするように形成されてもよい。封止部４４は、樹脂（例えばモールド樹脂）で形成してもよい。封止部４４は、第１のインターポーザ１２よりも熱膨張率が小さくてもよいし、第２のインターポーザ３２よりも熱膨張率が小さくてもよい。熱膨張率を小さくするために、封止部４４はシリカを含有していてもよい。第１及び第２のインターポーザ１２，３２の熱膨張率が、それぞれ単体としては同じであっても、封止部４４が設けられることで、第２のインターポーザ３２の熱膨張率が、第１のインターポーザ１２よりも小さくなってもよい。
【００１３】
複数の第２のパッケージ３０は、第１のパッケージ１０にオーバーラップするように配置されている。詳しくは、第２のインターポーザ３２が第１の半導体チップ１６及び第１のインターポーザ１２の上方にオーバーラップしている。第２のインターポーザ３２は、第１の半導体チップ１６の全体の上方にオーバーラップしている。第１のパッケージ１０上に、１つの第２のパッケージ３０が配置されていてもよい。
【００１４】
第２のパッケージ３０の端面（側面）は、平面であっても曲面であってもよい。第２のパッケージ３０の端面は、第２のインターポーザ３２の端面３３を含む。第２のインターポーザ３２上に封止部４４が設けられている場合、第２のパッケージ３０の端面は、封止部４４の端面４６をさらに含む。
【００１５】
第１のパッケージ１０（第１のインターポーザ１２）の、第１の半導体チップ１６が搭載された側に、第２のパッケージ３０（第２のインターポーザ３２）が積み重ねられている。第２のパッケージ３０（第２のインターポーザ３２）の第２の半導体チップ３６が搭載された側を、第１のパッケージ１０（第１のインターポーザ１２）の第１の半導体チップ１６とは反対側に配置してもよい。
【００１６】
第１及び第２のパッケージ１０，３０（第１及び第２のインターポーザ１２，３２）の間には、複数のコンタクト部４８が設けられている。コンタクト部４８は、第１及び第２の配線パターン１４，３４を電気的に接続する。例えば、第１の配線パターン１４の一部（例えばランド）と、第２の配線パターン３４の一部（例えばランド）が相互に対向しており、この対向する部分間にコンタクト部４８を設けてもよい。コンタクト部４８は、軟ろう（soft solder）又は硬ろう（hard solder）のいずれで形成してもよい。軟ろうとして、鉛を含まないハンダ（以下、鉛フリーハンダという。）を使用してもよい。鉛フリーハンダとして、スズー銀（Ｓｎ−Ａｇ）系、スズ−ビスマス（Ｓｎ−Ｂｉ）系、スズ−亜鉛（Ｓｎ−Ｚｎ）系、あるいはスズ−銅（Ｓｎ−Ｃｕ）系の合金を使用してもよいし、これらの合金に、さらに銀、ビスマス、亜鉛、銅のうち少なくとも１つを添加してもよい。
【００１７】
第１及び第２のパッケージ１０，３０の間（詳しくは、第１及び第２のインターポーザ１２，３２の間と、第１の半導体チップ１６と第２のインターポーザ３２との間）には、樹脂５０が設けられている。樹脂５０は、熱硬化性樹脂であってもよい。樹脂５０は、エポキシ樹脂であってもよい。樹脂５０は、封止部４４の材料（あるいは第２のパッケージ３０）よりも熱膨張率が大きくてもよい。樹脂５０は、第１及び第２のインターポーザ１２，３２の対向面と、第１の半導体チップ１６と第２のインターポーザ３２との対向面と、に接着している。樹脂５０は、複数のコンタクト部４８を封止している。樹脂５０は、第１及び第２のパッケージ１０，３０の間に隙間なく充填されていてもよい。これによって、第１及び第２のパッケージ１０，３０の接合強度がさらに向上する。樹脂５０は、第２のパッケージ３０の端面を被覆していてもよい。すなわち、半導体装置の側面に樹脂５０が露出していてもよい。図２に示すように、樹脂５０は、封止部４４の端面４６（のみ）を被覆していてもよい。樹脂５０が封止部４４の材料よりも熱膨張率が大きければ、第２のパッケージ３０（封止部４４）に加えられる応力を緩和することができる。樹脂５０は、第２のインターポーザ３２の端面３３（のみ）を被覆していてもよい。樹脂５０は、第２のインターポーザ３２の端面３３及び封止部４４の端面４６を被覆していてもよい。樹脂５０は、第２のパッケージ３０の端面の全部を被覆して、第２のパッケージ３０の上面と面一となっていてもよい。あるいは、樹脂５０によって、第２のパッケージ３０の上面よりも低い面が形成されていてもよい。
【００１８】
樹脂５０によって、第１及び第２のインターポーザ１２，３２（第１及び第２のパッケージ１０，３０）が接合される。したがって、コンタクト部４８の補強することができる。樹脂５０は、コンタクト部４８を囲むように設けられていてもよい。これによれば、樹脂５０によって囲まれたコンタクト部４８は、熱で溶融されても流出しないようになる。
【００１９】
半導体装置は、複数の外部端子（例えばハンダボール）５２を有していてもよい。外部端子５２は、第１のインターポーザ１２の、第１の半導体チップ１６が搭載された面とは反対側に設けられる。外部端子５２は、第１の配線パターン１４の一部となるランド上に設けてもよい。外部端子５２は、軟ろう（soft solder）又は硬ろう（hard solder）のいずれで形成してもよい。軟ろうとして、上述した鉛フリーハンダを使用してもよい。
【００２０】
図３は、本発明に係る半導体装置の製造方法の一部を説明する図であり、詳しくは第１のパッケージの組み立てを説明する図である。図４は、図３のIV−IV線断面の一部拡大図である。本実施の形態では、第１のインターポーザ６０を使用する。第１のインターポーザ６０は、後の工程で切断されて、複数の第１のインターポーザ１２（図１参照）を提供するものである。すなわち、第１のインターポーザ６０は、複数の第１のインターポーザ１２となる領域を含む。第１のインターポーザ６０には、複数の第１の配線パターン１４が形成されている。変形例として、個々の第１のパッケージの一部となる第１のインターポーザ１２を組み立て工程で使用してもよい。
【００２１】
第１のインターポーザ１２には、第１の半導体チップ１６を搭載する。本実施の形態では、第１のインターポーザ６０の、複数の第１のインターポーザ１２となる領域のそれぞれに第１の半導体チップ１６を搭載する。第１の半導体チップ１６は、接着剤２０によって第１のインターポーザ１２に接着する。また、第１の配線パターン１４と第１の半導体チップ１６を電気的に接続する。本実施の形態では、第１のインターポーザ６０の、複数の第１の配線パターン１４のそれぞれと、第１の半導体チップ１６を電気的に接続する。第１のパッケージ１０の組み立ては、上述した第１のパッケージ１０の説明から導き出すことができるプロセスを含む。さらに、第１のパッケージ１０について、第１の半導体チップ１６の特性検査を行って、良品・不良品の判断をする。不良品と判断された第１のパッケージ１０には、後の工程で、第２のパッケージ３０を積み重ねない。
【００２２】
図５及び図６は、本発明に係る半導体装置の製造方法の一部を説明する図であり、詳しくは第２のパッケージの組み立てを説明する図である。本実施の形態では、図５に示すように、第２の配線パターン３４が形成された第２のインターポーザ３２に第２の半導体チップ３６を搭載する。第２の半導体チップ３６は、図示しない接着剤によって第２のインターポーザ３２に接着してもよい。また、第２の配線パターン３４と第２の半導体チップ３６を電気的に接続する。これらのプロセスの詳細は、上述した第２のパッケージ３０の説明から導き出すことができる。変形例として、複数の第２のインターポーザ３２となる領域を含む第２のインターポーザを使用してもよい。その詳細は、第１のインターポーザ６０についての内容が該当する。
【００２３】
そして、図６に示すように、第２の半導体チップ３６を封止するように第２のインターポーザ３２に封止部４４を設ける。封止部４４は、トランスファーモールドによって形成してもよい。このプロセスの詳細は、上述した第２のパッケージ３０の説明から導き出すことができる。さらに、第２のパッケージ３０について、第２の半導体チップ３６の特性検査を行って、良品・不良品の判断をする。特性検査は、封止部４４の形成後に行ってもよいが、その形成前に行って、不良品と判断された第２の半導体チップ３６には封止部４４を設けないことにしてもよい。
【００２４】
図７〜図１２は、本発明に係る半導体装置の製造方法を説明する図である。本実施の形態では、第１のパッケージ１０の上方に、第２のパッケージ３０を配置する。第２のインターポーザ３２を、第１のインターポーザ１２の第１の半導体チップ１６が搭載された側に積み重ねる。第２のパッケージ３０を、第２のインターポーザ３２が第１の半導体チップ１６及び第１のインターポーザ１２の上方にオーバーラップするように配置する。詳しくは、上述した第１及び第２のパッケージ１０，３０の配置に関する説明から導き出すことができる。
【００２５】
本実施の形態では、複数の第２のパッケージ３０を、隣同士に隙間５４をあけて相互にオーバーラップしないように配置する。複数の第１のインターポーザ１２となる領域を有する第１のインターポーザ６０に、複数の第２のパッケージ３０を配置する。それぞれの第１のパッケージ１０となる領域には、１つの第２のパッケージ３０を積み重ねる。
【００２６】
第１及び第２のパッケージ１０，３０（第１及び第２のインターポーザ１２，３２）を積み重ねる前に、コンタクト部４８の少なくとも一部を形成するための材料６２を、第１及び第２のパッケージ１０，３０の少なくとも一方に設ける。材料６２は、固形であってもよい。材料６２は、軟ろう（soft solder）又は硬ろう（hard solder）であってもよい。軟ろうとして、上述した鉛フリーハンダを使用してもよい。材料６２に対向する位置に、コンタクト部４８の他の一部を形成するための材料６４を設けてもよい。材料６４は、材料６２と一体化して、コンタクト部４８となる。材料６４は、ハンダペースト等のペーストであってもよい。ハンダペーストにも鉛フリーハンダを使用することができる。
【００２７】
なお、不良品と判断された第１のパッケージ１０には、第２のパッケージ３０を積み重ねない。こうすることで、第２のパッケージ３０（第２の半導体チップ３６）が無駄になるのを避けることができる。
【００２８】
図８に示すように、例えば、リフロー工程を経て、材料６２，６４（図７参照）を溶融して、コンタクト部４８を形成する。これにより、第１及び第２のパッケージ１０，３０をコンタクト部４８によって電気的に接続することができる。詳しくは、コンタクト部４８によって、第１及び第２のインターポーザ１２，３２の間で、第１及び第２の配線パターン１４，３４を電気的に接続する。
【００２９】
本実施の形態では、図９に示すように、第１のインターポーザ６０を使用して複数の第１のパッケージ１０を構成し、それぞれの第１のパッケージ１０の上方に、第２のパッケージ３０を配置する。隣同士の第２のパッケージ３０には隙間５４があいている。
【００３０】
図１０に示すように、第１及び第２のパッケージ１０，３０の間に樹脂５０を注入する。詳しくは、第１のインターポーザ１２及び第１の半導体チップ１６と、第２のインターポーザ３２と、の間に樹脂５０を注入する。第１のインターポーザ６０に複数の第２のパッケージ３０を並べて配置した場合には、第１のインターポーザ６０とそれぞれの第２のパッケージ３０との間に樹脂５０を注入する。樹脂５０は、複数の第２のパッケージ３０の隣同士の隙間（第１のインターポーザ６０上の隙間）５４から注入する。例えば、ディスペンサ６６のノズルを隙間５４の上方に配置して、樹脂５０を吐出（滴下）してもよい。樹脂５０は、ディスペンサ６６を平面上の１点に位置固定させながら吐出してもよいし、ディスペンサ６６を平面上で描画させながら吐出してもよい。樹脂５０は、隙間５４から複数の第２のパッケージ３０の方向に進行する。すなわち、樹脂５０が複数の方向に進行するので、注入作業を短時間で完了させることができる。
【００３１】
図１１に示すように、第２のインターポーザ３２と第１の半導体チップ１６との間に樹脂５０を設け、第２のインターポーザ３２と第１のインターポーザ１２との間にも樹脂５０を設ける。詳しくは、上述した樹脂５０の配置に関する説明から導き出すことができる。樹脂５０によって第１及び第２のインターポーザ１２，３２の接合強度を向上させることができ、コンタクト部４８の補強も図ることができる。
【００３２】
図１２に示すように、上述した第１のインターポーザ６０を使用した場合、これを複数の第１のインターポーザ１２に切断する。詳しくは、第１のインターポーザ６０を、それぞれの第２のパッケージ３０ごとに切断する。また、外部端子５２を設ける。
【００３３】
本実施の形態では、以上の工程を経て、半導体装置を製造することができる。このプロセスは、半導体装置の構造についての説明から導き出すことができる内容を含む。
【００３４】
図１３は、本発明の実施の形態の変形例に係る半導体装置を説明する図である。樹脂７０は、第１及び第２のパッケージ１０，３０の間に設けられている。樹脂７０は、第２のパッケージ３０の端面にフィレット７２を形成している。第２のパッケージ３０における第１のパッケージ１１０に対向する側の端部に、樹脂７０が付着している。樹脂７０は、フィレット７２によって、第２のインターポーザ３２の端面３３（のみ）を被覆していてもよいし、封止部４４の端面４６（のみ）を被覆していてもよいし、それらの両方を被覆していてもよい。樹脂７０は、第２のパッケージ３０の端面の全部を被覆していてもよいし、第２のパッケージ３０の端面の上側を露出させていてもよい。あるいは、樹脂７０は、第２のパッケージ３０の端面（の全部）を露出して設けられていてもよい。第１のパッケージ１１０（第１のインターポーザ１１２）は、第２のパッケージ３０（第２のインターポーザ３２）よりも外形が大きくなっており、フィレット７２が第１のパッケージ１１０側に広がっていてもよい。第１のインターポーザ１１２は、第２のインターポーザ３２の全周から突出している。樹脂７０は、第１のインターポーザ１１２における第２のインターポーザ３２側の面の全体を被覆していてもよい。樹脂７０の詳細は、上述の樹脂５０の説明から導き出すことができる内容を含む。
【００３５】
図１４は、図１３に示す半導体装置の製造方法の一例を示す図である。第１及び第２のパッケージ１１０，３０を積み重ねた後に、両者の間に樹脂７０を注入する。上述の第１のインターポーザ６０（複数の第１のインターポーザ１１２となる領域を含む）を使用した場合には、それぞれの第２のパッケージ３０ごとに第１のインターポーザ６０を切断し、その後に樹脂７０を設ける。第１のインターポーザ１１２における第２のインターポーザ３２から突出する部分の上方に、ディスペンサ６６のノズルを配置し、樹脂７０を吐出（滴下）してもよい。樹脂７０は、ディスペンサ６６を平面上の１点に位置固定させながら吐出してもよいし、ディスペンサ６６を平面上で第２のパッケージ３０の周囲に沿って描画させながら吐出してもよい。このプロセスは、半導体装置の構造についての説明から導き出すことができる内容を含む。
【００３６】
図１５は、本発明の実施の形態の変形例に係る半導体装置を説明する図である。樹脂８０は、第１及び第２のパッケージ１０，３０の間に設けられている。樹脂８０は、第２のパッケージ３０の端面の全部を露出して設けられている。すなわち、樹脂７０は、第２のインターポーザ３２の端面３３を露出させ、かつ、封止部４４の端面４６を露出させている。第１及び第２のインターポーザ１２，３２の端面と樹脂８０の端面とは、面一となっていてもよい。樹脂８０の詳細は、上述の樹脂５０の説明から導き出すことができる内容を含む。
【００３７】
図１６は、図１５に示す半導体装置の製造方法の一例を示す図である。第１及び第２のパッケージ１０，３０を積み重ねた後に、両者の間に樹脂８０を注入する。ステージ９０の斜面９２に沿って、第１及び第２のパッケージ１０，３０をセットし、第１及び第２のパッケージ１０，３０の間に、樹脂８０を斜めに流し込んでもよい。上述の第１のインターポーザ６０（複数の第１のインターポーザ１２となる領域を含む）を使用した場合には、それぞれの第２のパッケージ３０ごとに第１のインターポーザ６０を切断し、その後に樹脂８０を注入してもよい。あるいは、上述の第１のインターポーザ６０に、複数の第２のパッケージ３０を隣同士が隙間をあけてオーバーラップしないように配置し、その後に（切断工程前に）樹脂８０を注入してもよい。その場合には、樹脂８０を注入した後に、第２のパッケージ３０ごとに、第１のインターポーザ６０を切断する。第２のパッケージ３０の端面の全部を露出させるように切断してもよい。
【００３８】
図１７は、図１５に示す半導体装置の製造方法の一例を示す図である。第１及び第２のパッケージ１０，３０を積み重ねた後に、両者の間に樹脂８０を注入する。第１及び第２のパッケージ１０，３０を水平にセットし、樹脂８０を第１及び第２のパッケージ１０，３０の間の広がる方向（横方向）に吐出してもよい。ディスペンサ６６のノズル６７の先端を、第１及び第２のパッケージ１０，３０の間に挿入してもよい。ディスペンサ６６を垂直方向に支持する場合には、ノズル６７の先端が水平方向の部分を有するように屈曲していてもよい。上述の第１のインターポーザ６０（複数の第１のインターポーザ１２となる領域を含む）を使用した場合には、それぞれの第２のパッケージ３０ごとに第１のインターポーザ６０を切断し、その後に樹脂８０を注入してもよい。あるいは、上述の第１のインターポーザ６０に、複数の第２のパッケージ３０を隣同士が隙間をあけてオーバーラップしないように配置し、その後に（切断工程前に）樹脂８０を注入してもよい。その場合には、樹脂８０を注入した後に、第２のパッケージ３０ごとに、第１のインターポーザ６０を切断する。第２のパッケージ３０の端面の全部を露出させるように切断してもよい。これらのプロセスは、半導体装置の構造についての説明から導き出すことができる内容を含む。
【００３９】
図１８には、上述した実施の形態で説明した半導体装置１が実装された回路基板１０００が示されている。この半導体装置を有する電子機器として、図１９にはノート型パーソナルコンピュータ２０００が示され、図２０には携帯電話３０００が示されている。
【００４０】
本発明は、上述した実施の形態に限定されるものではなく、種々の変形が可能である。例えば、本発明は、実施の形態で説明した構成と実質的に同一の構成（例えば、機能、方法及び結果が同一の構成、あるいは目的及び結果が同一の構成）を含む。また、本発明は、実施の形態で説明した構成の本質的でない部分を置き換えた構成を含む。また、本発明は、実施の形態で説明した構成と同一の作用効果を奏する構成又は同一の目的を達成することができる構成を含む。また、本発明は、実施の形態で説明した構成に公知技術を付加した構成を含む。
【図面の簡単な説明】
【００４１】
【図１】図１は、本発明の実施の形態に係る半導体装置を説明する平面図である。
【図２】図２は、図１に示す半導体装置のII−II線断面図である。
【図３】図３は、本発明の実施の形態に係る半導体装置の製造方法を説明する図である。
【図４】図４は、図３のIV−IV線断面の一部拡大図である。
【図５】図５は、本発明の実施の形態に係る半導体装置の製造方法を説明する図である。
【図６】図６は、本発明の実施の形態に係る半導体装置の製造方法を説明する図である。
【図７】図７は、本発明の実施の形態に係る半導体装置の製造方法を説明する図である。
【図８】図８は、本発明の実施の形態に係る半導体装置の製造方法を説明する図である。
【図９】図９は、本発明の実施の形態に係る半導体装置の製造方法を説明する図である。
【図１０】図１０は、本発明の実施の形態に係る半導体装置の製造方法を説明する図である。
【図１１】図１１は、本発明の実施の形態に係る半導体装置の製造方法を説明する図である。
【図１２】図１２は、本発明の実施の形態に係る半導体装置の製造方法を説明する図である。
【図１３】図１３は、本発明の実施の形態の変形例に係る半導体装置を説明する図である。
【図１４】図１４は、本発明の実施の形態の変形例に係る半導体装置の製造方法を説明する図である。
【図１５】図１５は、本発明の実施の形態の変形例に係る半導体装置を説明する図である。
【図１６】図１６は、本発明の実施の形態の変形例に係る半導体装置の製造方法を説明する図である。
【図１７】図１７は、本発明の実施の形態の変形例に係る半導体装置の製造方法を説明する図である。
【図１８】図１８は、本実施の形態に係る半導体装置が実装された回路基板を示す図である。
【図１９】図１９は、本実施の形態に係る半導体装置を有する電子機器を示す図である。
【図２０】図２０は、本実施の形態に係る半導体装置を有する電子機器を示す図である。
【符号の説明】
【００４２】
１０…第１のパッケージ  １２…第１のインターポーザ  １４…第１の配線パターン
１６…第１の半導体チップ  ３０…第２のパッケージ  ３２…第２のインターポーザ
３３…端面  ３４…第２の配線パターン  ４４…封止部  ４６…端面
４８…コンタクト部  ５０…樹脂  ５２…外部端子  ５４…隙間
６０…第１のインターポーザ  ７０…樹脂  ７２…フィレット  ８０…樹脂
１１０…第１のパッケージ  １１２…第１のインターポーザ
【図１】
2005340451.tif 000003
【図２】
2005340451.tif 000004
【図３】
2005340451.tif 000005
【図４】
2005340451.tif 000006
【図５】
2005340451.tif 000007
【図６】
2005340451.tif 000008
【図７】
2005340451.tif 000009
【図８】
2005340451.tif 000010
【図９】
2005340451.tif 000011
【図１０】
2005340451.tif 000012
【図１１】
2005340451.tif 000013
【図１２】
2005340451.tif 000014
【図１３】
2005340451.tif 000015
【図１４】
2005340451.tif 000016
【図１５】
2005340451.tif 000017
【図１６】
2005340451.tif 000018
【図１７】
2005340451.tif 000019
【図１８】
2005340451.tif 000020
【図１９】
2005340451.tif 000021
【図２０】
2005340451.tif 000022